(57)【要約】  本発明によるバッテリー予熱システムは、自動車のドアを開放するためのドア開放信号を受信する開放信号受信部と、車両のスタータに接続されたバッテリーパックの温度を測定する温度測定部と、前記開放信号受信部によってドア開放信号が受信された場合、前記温度測定部によって測定された温度に関する情報を参照して強制放電開始信号を出力する制御部と、前記強制放電開始信号に従って前記バッテリーパックを構成する複数のバッテリーモジュールを強制放電させる強制放電回路部とを含む。本発明によれば、従来の自動車用電力供給システムを大きく変更することなく、バッテリー自体の発熱を用いて自動車の低温始動性を大幅に改善させるだけでなく、予熱の開始時点を自動車ユーザが決定できることで、バッテリーパックを不要に消耗することなく効率的に予熱することができる。
2016520475.tif 000002
【特許請求の範囲】
【請求項１】
自動車のドアを開放するためのドア開放信号を受信する開放信号受信部と、
車両のスタータに接続されたバッテリーパックの温度を測定する温度測定部と、
前記開放信号受信部によってドア開放信号が受信された場合、前記温度測定部によって測定された温度に関する情報を参照して強制放電開始信号を出力する制御部と、
前記強制放電開始信号に従って前記バッテリーパックを構成する複数のバッテリーモジュールを強制放電させる強制放電回路部と
を含むバッテリー予熱システム。
【請求項２】
前記制御部は、測定された前記バッテリーパックの温度が第１基準温度より低い場合に、前記強制放電開始信号を出力することを特徴とする請求項１に記載のバッテリー予熱システム。
【請求項３】
前記制御部は、前記強制放電によって前記バッテリーパックの温度が第２基準温度に到達した場合、または、放電量が設定された基準放電量に到達した場合に、強制放電終了信号を出力することを特徴とする請求項２に記載のバッテリー予熱システム。
【請求項４】
前記強制放電回路部は、前記バッテリーモジュールの両端間に接続され、前記強制放電開始信号及び前記強制放電終了信号に従ってスイッチオン／オフ動作を行う強制放電スイッチを含むことを特徴とする請求項３に記載のバッテリー予熱システム。
【請求項５】
前記強制放電回路部は、前記強制放電開始信号に従って前記複数のバッテリーモジュールを同時に又は設定された順に強制放電させることを特徴とする請求項１に記載のバッテリー予熱システム。
【請求項６】
自動車のドアを開放するためのドア開放信号を受信する開放信号受信部と、
車両のスタータに接続されたバッテリーパックの温度を測定する温度測定部と、
前記バッテリーパックを構成する複数のバッテリーモジュールそれぞれの充電状態を測定するバッテリー状態測定部と、
前記開放信号受信部によってドア開放信号が受信された場合、前記温度測定部によって測定された温度に関する情報を参照して強制放電開始信号を出力し、前記複数のバッテリーモジュールそれぞれの充電状態を参照してバランシング開始信号を出力する制御部と、
前記強制放電開始信号に従って前記複数のバッテリーモジュールのうち一部バッテリーモジュールを強制放電させる強制放電回路部と、
前記バランシング開始信号に従って前記バッテリーモジュールそれぞれの充電量をバランシングするバランシング部と
を含むバッテリー予熱システム。
【請求項７】
前記制御部は、測定された前記バッテリーパックの温度が第１基準温度より低い場合に、前記強制放電開始信号を出力することを特徴とする請求項６に記載のバッテリー予熱システム。
【請求項８】
前記制御部は、前記強制放電によって前記バッテリーパックの温度が第２基準温度に到達した場合、または、放電量が設定された基準放電量に到達した場合に、強制放電終了信号を出力することを特徴とする請求項７に記載のバッテリー予熱システム。
【請求項９】
前記強制放電回路部は、前記バッテリーモジュールのうち一部の両端間に接続され、前記強制放電開始信号及び前記強制放電終了信号に従ってスイッチオン／オフ動作を行う強制放電スイッチを含むことを特徴とする請求項８に記載のバッテリー予熱システム。
【請求項１０】
前記強制放電回路部は、前記強制放電開始信号に従って前記複数のバッテリーモジュールのうち一部を同時に又は設定された順に強制放電させることを特徴とする請求項６に記載のバッテリー予熱システム。
【請求項１１】
前記バッテリー状態測定部は、前記バッテリーモジュールの電圧を測定する電圧センサを含むことを特徴とする請求項６に記載のバッテリー予熱システム。
【請求項１２】
前記バッテリー状態測定部は、前記電圧センサによってセンシングされた電圧値を含む情報を用いてバッテリーモジュールのＳＯＣを算出するＳＯＣ算出部をさらに含むことを特徴とする請求項１１に記載のバッテリー予熱システム。
【請求項１３】
前記制御部は、前記電圧センサによってセンシングされた電圧値を含む情報を用いてバッテリーモジュールのＳＯＣを算出することを特徴とする請求項１１に記載のバッテリー予熱システム。
【請求項１４】
前記バランシング部は、強制放電した前記一部バッテリーモジュールを除いた他のバッテリーモジュールを強制放電させて充電量をバランシングすることを特徴とする請求項６に記載のバッテリー予熱システム。
【請求項１５】
請求項１ないし請求項１４のいずれか一項に記載のバッテリー予熱システムと、
前記バッテリー予熱システムに接続されたバッテリーパックと
を含む自動車用電力供給システム。
【請求項１６】
請求項１５に記載の自動車用電力供給システムと、
前記バッテリーパックから始動に必要な電力の供給を受けるスタータと
を含む自動車。
【請求項１７】
自動車のドアを開放するためのドア開放信号の受信如何を判断する段階と、
バッテリーパックの温度と設定された第１基準温度とを比較する段階と、
前記ドア開放信号が受信され、前記バッテリーパックの温度が第１基準温度より低い場合、強制放電開始信号を出力する段階と
を含むバッテリー予熱方法。
【請求項１８】
前記強制放電開始信号の出力によって前記バッテリーパックの温度が第２基準温度に到達した場合、または、前記バッテリーパックを構成するバッテリーモジュールの放電量が設定された基準放電量に到達した場合、強制放電終了信号を出力する段階をさらに含むことを特徴とする請求項１７に記載のバッテリー予熱方法。
【請求項１９】
前記強制放電開始信号の出力によって前記バッテリーパックを構成する複数のバッテリーモジュールのうち一部バッテリーモジュールが放電し、バッテリーモジュール間の充電状態が不均一になった場合、バランシング開始信号を出力する段階をさらに含むことを特徴とする請求項１７に記載のバッテリー予熱方法。
【発明の詳細な説明】
【技術分野】
【０００１】
本発明は、バッテリー予熱システム及びそれを用いたバッテリー予熱方法に関し、具体的には、バッテリーの放電による発熱を用いたバッテリー予熱システム及びそれを用いたバッテリー予熱方法に関する。
【０００２】
本出願は、２０１３年５月８日出願の韓国特許出願第２０１３−００５２０９６号に基づく優先権を主張するものであり、該当出願の明細書及び図面に開示された内容は、すべて本出願に援用される。
【背景技術】
【０００３】
近年、自動車産業においては燃費の向上とＣＯ２排出の低減が重大な課題として残っており、自動車業界は従来の鉛蓄電池と比べて高出力を出すことができ且つ充電効率も一層優れたリチウムイオン二次電池を用いることで燃費を高めようと持続的に努力している。
しかし、このようなリチウムイオン二次電池は、気温が一定水準以下に落ちれば出力特性が急激に悪化するという短所があり、このようなリチウムイオン二次電池の短所は、自動車の低温始動性改善のために克服すべき課題として残っている。
【発明の概要】
【発明が解決しようとする課題】
【０００４】
本発明は、上記問題点に鑑みてなされたものであり、従来の自動車用電力供給システムを大きく変更することなく、バッテリー自体の発熱を用いて自動車の低温始動性を大幅に改善させることを目的とする。
ただし、本発明がなそうとする技術的課題は上述した課題に限定されるものではなく、上述されていない他の技術的課題は下記する発明の説明から当業者であれば明確に理解できるであろう。
【課題を解決するための手段】
【０００５】
上記の課題を達成するために、本発明の一実施形態によるバッテリー予熱システムは、自動車のドアを開放するためのドア開放信号を受信する開放信号受信部と、車両のスタータに接続されたバッテリーパックの温度を測定する温度測定部と、前記開放信号受信部によってドア開放信号が受信された場合、前記温度測定部によって測定された温度に関する情報を参照して強制放電開始信号を出力する制御部と、前記強制放電開始信号に従って前記バッテリーパックを構成する複数のバッテリーモジュールを強制放電させる強制放電回路部とを含む。
【０００６】
前記制御部は、測定された前記バッテリーパックの温度が第１基準温度より低い場合に、前記強制放電開始信号を出力することができる。
前記制御部は、前記強制放電によって前記バッテリーパックの温度が第２基準温度に到達した場合、または、放電量が設定された基準放電量に到達した場合に、強制放電終了信号を出力することができる。
前記強制放電回路部は、前記バッテリーモジュールの両端間に接続され、前記強制放電開始信号及び前記強制放電終了信号に従ってスイッチオン／オフ動作を行う強制放電スイッチを含むことができる。
前記強制放電回路部は、前記強制放電開始信号に従って前記複数のバッテリーモジュールを同時に又は設定された順に強制放電させることができる。
【０００７】
また、上記の課題を達成するために、本発明の別の実施形態によるバッテリー予熱システムは、自動車のドアを開放するためのドア開放信号を受信する開放信号受信部と、車両のスタータに接続されたバッテリーパックの温度を測定する温度測定部と、前記バッテリーパックを構成する複数のバッテリーモジュールそれぞれの充電状態を測定するバッテリー状態測定部と、前記開放信号受信部によってドア開放信号が受信された場合、前記温度測定部によって測定された温度に関する情報を参照して強制放電開始信号を出力し、前記複数のバッテリーモジュールそれぞれの充電状態を参照してバランシング開始信号を出力する制御部と、前記強制放電開始信号に従って前記複数のバッテリーモジュールのうち一部バッテリーモジュールを強制放電させる強制放電回路部と、前記バランシング開始信号に従って前記バッテリーモジュールそれぞれの充電量をバランシングするバランシング部とを含む。
【０００８】
前記制御部は、測定された前記バッテリーパックの温度が第１基準温度より低い場合に、前記強制放電開始信号を出力することができる。
前記制御部は、前記強制放電によって前記バッテリーパックの温度が第２基準温度に到達した場合、または、放電量が設定された基準放電量に到達した場合に、強制放電終了信号を出力することができる。
前記強制放電回路部は、前記バッテリーモジュールのうち一部の両端間に接続され、前記強制放電開始信号及び前記強制放電終了信号に従ってスイッチオン／オフ動作を行う強制放電スイッチを含むことができる。
前記強制放電回路部は、前記強制放電開始信号に従って前記複数のバッテリーモジュールのうち一部を同時に又は設定された順に強制放電させることができる。
【０００９】
前記バッテリー状態測定部は、前記バッテリーモジュールの電圧を測定する電圧センサを含むことができる。
前記バッテリー状態測定部は、前記電圧センサによってセンシングされた電圧値を含む情報を用いてバッテリーモジュールのＳＯＣを算出するＳＯＣ算出部をさらに含むことができる。
前記制御部は、前記電圧センサによってセンシングされた電圧値を含む情報を用いてバッテリーモジュールのＳＯＣを算出することができる。
前記バランシング部は、強制放電した前記一部バッテリーモジュールを除いた他のバッテリーモジュールを強制放電させて充電量をバランシングすることができる。
【００１０】
一方、上記の課題を達成するために、本発明による自動車用電力供給システムは、前記バッテリー予熱システムと、前記バッテリー予熱システムに接続されたバッテリーパックとを含む。
また、上記の課題を達成するために、本発明による自動車は、前記自動車用電力供給システムと、前記バッテリーパックから始動に必要な電力の供給を受けるスタータとを含む。
【００１１】
上述した技術的課題は、本発明によるバッテリー予熱方法によっても解決することができる。このような本発明によるバッテリー予熱方法は、自動車のドアを開放するためのドア開放信号の受信如何を判断する段階と、バッテリーパックの温度と設定された第１基準温度とを比較する段階と、前記ドア開放信号が受信され、前記バッテリーパックの温度が第１基準温度より低い場合、強制放電開始信号を出力する段階とを含む。
【００１２】
前記バッテリー予熱方法は、前記強制放電開始信号の出力によって前記バッテリーパックの温度が第２基準温度に到達した場合、または、前記バッテリーパックを構成するバッテリーモジュールの放電量が設定された基準放電量に到達した場合、強制放電終了信号を出力する段階をさらに含むことができる。
前記バッテリー予熱方法は、前記強制放電開始信号の出力によって前記バッテリーパックを構成する複数のバッテリーモジュールのうち一部バッテリーモジュールが放電し、バッテリーモジュール間の充電状態が不均一になった場合、バランシング開始信号を出力する段階をさらに含むことができる。
【発明の効果】
【００１３】
本発明の一態様によれば、従来の自動車用電力供給システムを大きく変更することなく、バッテリーパック自体の発熱を用いて自動車の低温始動性を大幅に改善させることができる。
本発明の別の態様によれば、自動車のユーザがバッテリーパックに対する予熱時点を選択できるため、バッテリーパックを不要に消耗することなく効率的に予熱することができる。
【００１４】
本明細書に添付される次の図面は、本発明の望ましい実施形態を例示するものであって、発明の詳細な説明とともに本発明の技術的な思想をさらに理解させる役割をするためのものであるので、本発明は、図面に記載された事項だけに限定されて解釈されてはならない。
【図面の簡単な説明】
【００１５】
【図１】本発明の一実施形態によるバッテリー予熱システムを示したブロック図である。
【図２】本発明の一実施形態によるバッテリー予熱システムに接続されるバッテリーパックを示した図である。
【図３】本発明の一実施形態によるバッテリー予熱システムに採用された強制放電回路部を示した図である。
【図４】本発明の一実施形態によるバッテリー予熱システムに採用されたバッテリーパック及び強制放電回路部が結合された形態を示した図である。
【図５】本発明の別の実施形態によるバッテリー予熱システムを示したブロック図である。
【図６】本発明の別の実施形態によるバッテリー予熱システムに採用されたバッテリーパック及び強制放電回路部が結合された形態を示した図である。
【図７】本発明の一実施形態によるバッテリー予熱方法を示したフロー図である。
【発明を実施するための形態】
【００１６】
以下、添付された図面を参照して本発明の望ましい実施形態を詳しく説明する。これに先立ち、本明細書及び請求範囲に使われた用語や単語は、通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施形態及び図面に示された構成は、本発明のもっとも望ましい一実施形態に過ぎず、本発明の技術的な思想のすべてを代弁するものではないので、本出願の時点においてこれらに代替できる多様な均等物及び変形例があり得ることを理解せねばならない。
【００１７】
図１ないし図４を参照して本発明の一実施形態によるバッテリー予熱システム１０を説明する。
図１は、本発明の一実施形態によるバッテリー予熱システムを示したブロック図であり、図２は、本発明の一実施形態によるバッテリー予熱システムに接続されるバッテリーパックを示した図である。また、図３は、本発明の一実施形態によるバッテリー予熱システムに採用された強制放電回路部を示した図であり、図４は、本発明の一実施形態によるバッテリー予熱システムに採用されたバッテリーパック及び強制放電回路部が結合された形態を示した図である。
【００１８】
まず、図１を参照すれば、本発明の一実施形態によるバッテリー予熱システム１０は、開放信号受信部１１、温度測定部１２、制御部１３、及び強制放電回路部１４を含む。
前記開放信号受信部１１は、自動車のドアを開放するためのドア開放信号を受信する受信モジュールに該当する。
前記ドア開放信号は、例えば自動車のユーザが持っているリモコンのドア開放ボタンを押すことで送出されるか又は自動車のドアハンドルなどに設けられたドア開放ボタンを押すことで送出され得る。ただし、ドア開放信号の送出方式が自動車に適用されたドア開閉方式に従って変わり得ることは自明である。
【００１９】
一方、前記ドア開放信号は、自動車ドアを開放させる最終的な信号のみを意味することではなく、ユーザが自動車に乗る前に行われる自動車の動作に係わる多様な信号を意味すると理解されねばならない。例えば、ユーザが自動車に近づくとき、自動車のヘッドライトやドアミラーなどが動作するウェルカム機能の開始信号などのようにドア開放以前の予備信号も本発明のドア開放信号に含まれ得る。
前記開放信号受信部１１は、このようなドア開放信号が送出されれば、それを受信して制御部１３に伝達し、そのとき制御部１３はバッテリーパックＰの温度を参照してバッテリーの予熱進行如何を決定するようになる。
【００２０】
前記温度測定部１２は、自動車のスタータＳに接続されたバッテリーパックＰの温度を測定するものであり、バッテリーパックＰの特定位置に取り付けられて温度をセンシングする。このような温度センシングは、温度が一定温度未満（例えば、０℃未満）に落ちれば出力特性が悪化するリチウムイオン二次電池からなるバッテリーパックＰの温度をモニタリングし、バッテリーパックＰに対する予熱開始時点を決定するために行われるものである。
一方、前記バッテリーパックＰは、例えば並列に接続された複数のリチウムイオン二次電池セル（図示せず）からなるバッテリーモジュールＭ（図２参照）が直列で複数個接続されて具現されるものであり得る。
【００２１】
前記温度測定部１２によってセンシングされた温度に関する情報は、制御部１３に伝達されてバッテリーパックＰの充電状態、すなわちＳＯＣを算出するための資料として活用されるだけでなく、強制放電回路部１４の動作如何を決定するための資料としても活用され得る。
前記制御部１３は、開放信号受信部１１を通じてドア開放信号が受信されれば、バッテリーパックＰの温度に関する情報を参照して強制放電開始信号を出力することでバッテリーパックＰを予熱させる。
具体的には、前記制御部１３は、温度測定部１２を通じて測定されたバッテリーパックＰの温度が設定された第１基準温度より低い場合バッテリーパックＰが予熱されるように、強制放電開始信号を出力する。
このような強制放電開始信号は、それぞれのバッテリーモジュールＭの放電を通じてバッテリーパックＰの発熱を誘導することで、バッテリーパックＰを予熱させるものである。
【００２２】
また、前記制御部１３は、バッテリーパックＰの予熱が一定時間行われれば、強制放電終了信号を出力することでバッテリーパックＰに対する強制放電を終了させるが、このような強制放電終了信号の出力時点、すなわちバッテリー予熱の完了時点は多様な方式で決定することができる。
例えば、前記制御部１３は、強制放電が行われることでバッテリーパックＰの温度が上昇し、設定された第２基準温度（第１基準温度より高い値で設定される）に到達した場合に、強制放電終了信号を出力するように設定され得る。また別の例として、前記制御部１３は、バッテリーモジュールＭの放電量が設定された基準放電量に到達した場合に、強制放電終了信号を出力するように設定され得る。
【００２３】
一方、前記放電量は、多様な方式で測定できるが、一例としてアンペアカウンティング（Ａｍｐｅｒｅ ｃｏｕｎｔｉｎｇ）によって測定することができる。このようなアンペアカウンティング方式で放電量を算出する場合、強制放電回路部１４には、放電電流をセンシングするための電流センサ（図示せず）を設けることができる。この場合、制御部１３は、電流センサによってセンシングされた放電電流値に関する情報を収集して一定区間に対して積分することで放電量を算出することができる。
【００２４】
図３及び図４を参照すれば、前記強制放電回路部１４は、それぞれのバッテリーモジュールＭに接続されたものであり、バッテリーモジュールＭの両端間に接続される強制放電スイッチ１４ａを含む。また、前記強制放電回路部１４は、強制放電時に放電回路上に過電流が流れないように放電抵抗１４ｂをさらに含むこともできる。
前記強制放電スイッチ１４ａは、制御部１３から出力された強制放電開始信号に従ってスイッチオン動作を行うことでバッテリーモジュールＭを放電させ、強制放電終了信号に従ってスイッチオフ動作を行うことで強制放電を中断させる。
一方、前記強制放電は、複数のバッテリーモジュールＭそれぞれに対して同時に行われることもでき、予め設定された順に行われることもできる。すなわち、全てのバッテリーモジュールＭに対して同量で放電が起きる場合であれば、放電の進行順序とは関係なくバッテリーパックＰの予熱が可能である。
【００２５】
上述したように、本発明の一実施形態によるバッテリー予熱システム１０は、バッテリーパックＰの温度が一定水準未満に落ちて自動車の始動性を確保し難い場合、バッテリーパックＰを予熱することができる。したがって、このようなバッテリー予熱システム１０とバッテリーパックＰとが結合されて具現される自動車用電力供給システムは、バッテリーパックＰ自体の発熱を用いて行われる予熱を通じて自動車のスタータＳに十分な電力を供給できるようになり、それにより自動車は優れた低温始動性を確保することができる。
【００２６】
さらに、本発明の一実施形態によるバッテリー予熱システム１０は、このような予熱の進行時点を自動車ユーザに選択させることで、効率的に予熱することができる。すなわち、前記バッテリーパックＰが常時予熱動作を行うように設定された場合はＳＯＣの低下による問題が生じ得るが、本発明の一実施形態によるバッテリー予熱システム１０の構成によれば、ユーザが車両に乗るためドアを開放する瞬間から予熱が始まるため、不要な電力消耗なく効率的に予熱することができる。
【００２７】
以下、図５及び図６を参照して本発明の別の実施形態によるバッテリー予熱システム２０を説明する。
図５は、本発明の別の実施形態によるバッテリー予熱システムを示したブロック図であり、図６は、本発明の別の実施形態によるバッテリー予熱システムに採用されたバッテリーパック及び強制放電回路部が結合された形態を示した図である。
【００２８】
図５及び図６を参照すれば、本発明の別の実施形態によるバッテリー予熱システム２０は、上述した実施形態によるバッテリー予熱システム１０と比べて、制御部１３の機能及び強制放電回路部１４とバッテリーパックＰとの間の接続構造が異なり、バッテリー状態測定部１５及びバランシング部１６をさらに備える点が異なる。
したがって、本発明の別の実施形態によるバッテリー予熱システム２０の説明では、上述した実施形態と異なる事項のみを説明し、上述した実施形態と重なる説明は省略する。
【００２９】
図６を参照すれば、本発明の別の実施形態によるバッテリー予熱システム２０において、前記強制放電回路部１４は、バッテリーパックＰを構成する複数のバッテリーモジュールＭのうち一部のみに接続される。本発明の図面では、前記強制放電回路部１４が１つのバッテリーモジュールＭに接続された場合のみを示しているが、本発明がこれに限定されることはない。
【００３０】
前記強制放電回路部１４に接続されたバッテリーモジュールＭは、制御部１３の強制放電開始信号及び強制放電終了信号によって一定量放電するが、他のバッテリーモジュールＭは放電しないため、バッテリーモジュールＭ間の充電状態に差が生じるようになる。
前記制御部１３は、このような充電状態の差が増加して設定された第１基準量に到達すれば、バランシング開始信号を出力し、バランシング部１６はバランシング開始信号に従ってバッテリーモジュールＭ間の充電状態を均一にするバランシング動作を行う。このようなバランシング動作は、強制放電回路部１４に接続されて既に一定量放電したバッテリーモジュールＭを除いた他のバッテリーモジュールＭの放電を通じて行われる。すなわち、前記バランシング部１６は、上述した強制放電回路部１４と類似の構成を有する放電回路であり得る。
また、前記制御部１３は、バランシングの進行によってバッテリーモジュールＭ間の充電量の差が設定された第２基準量に到達すれば、バランシング終了信号を出力し、バランシング部１６はバランシング終了信号に従ってバランシング動作を中断する。
【００３１】
前記バッテリーモジュールＭ間の充電量の差は、バッテリー状態測定部１５を通じて収集された充電状態に関する情報を用いて算出することができる。すなわち、前記バッテリー状態測定部１５は、バッテリーモジュールＭそれぞれの充電状態を測定するものとして、バッテリーモジュールＭそれぞれの電圧を測定する電圧センサ（図示せず）を含むことができる。
前記電圧センサを通じて測定された各バッテリーモジュールＭ両端間の電圧値に関する情報は、制御部１３に伝達されてバッテリーモジュールＭのＳＯＣを算出するための資料として活用することができる。また、前記バッテリー状態測定部１５がＳＯＣ算出部（図示せず）をさらに含むことで、電圧センサを通じて測定された電圧値に関する情報を用いてバッテリーモジュールＭのＳＯＣを直接算出することもできる。また、このようなＳＯＣの算出時により正確な値を得るために、温度測定部１２を通じて測定されたバッテリーパックＰの温度に関する情報をさらに活用することもできる。
【００３２】
上述したように、本発明の別の実施形態によるバッテリー予熱システム２０は、バッテリーパックＰに対する予熱条件が満たされる場合、一部バッテリーモジュールＭに対する強制放電を優先的に行い、続いてバッテリーパックＰに対するバランシングを行うことで、バッテリーパックＰを全体的に予熱することができる。
【００３３】
次いで、図７を参照して本発明の一実施形態によるバッテリー予熱方法を説明する。
図７は、本発明の一実施形態によるバッテリー予熱方法を示したフロー図である。
図７を参照すれば、本発明の一実施形態によるバッテリー予熱方法は、開放信号の受信如何を判断する段階、温度を比較する段階、及び強制放電開始信号を出力する段階を含む。
前記開放信号の受信如何を判断する段階は、開放信号受信部１１を通じて自動車のドアを開放するためのドア開放信号が受信されたのか否かを判断する段階である。
前記温度を比較する段階は、温度測定部１２を通じて測定されたバッテリーパックＰの温度を設定された第１基準温度と比べる段階である。
前記強制放電開始信号を出力する段階は、開放信号受信部１１を通じてドア開放信号が受信され、測定されたバッテリーパックＰの温度が設定された第１基準温度より低いと判断される場合、バッテリーモジュールＭに対する強制放電を促す信号を出力する段階である。
【００３４】
一方、本発明の一実施形態によるバッテリー予熱方法は、強制放電終了信号を出力する段階及びバランシング開始信号を出力する段階をさらに含むことができる。
前記強制放電終了信号を出力する段階は、強制放電開始信号の出力によってバッテリーパックＰの温度が上昇し第２基準温度に到達した場合、または、バッテリーモジュールＭの放電量が設定された基準放電量に到達した場合、予熱が完了したと判断して放電を終了させる信号を出力する段階である。
前記バランシング開始信号を出力する段階は、強制放電開始信号の出力によって複数のバッテリーモジュールＭのうち一部のバッテリーモジュールＭのみが放電し、複数のバッテリーモジュールＭ間に一定以上の充電状態の差が生じた場合、バランシングを行うための信号を出力する段階である。
【００３５】
上述した本発明の一実施形態によるバッテリー予熱方法は、上述したように、一定条件下でバッテリーモジュールＭに対する放電を誘発することでバッテリーパックＰを予熱し、それにより自動車に優れた低温始動性をもたせることができる。
【００３６】
一方、本発明の説明において、図１に示された各構成要素は、物理的に区分される構成要素ではなく、論理的に区分される構成要素として理解されねばならない。
すなわち、本発明のそれぞれの構成要素は、本発明の技術思想を実現するための論理的な構成要素に該当するため、それぞれの構成要素が統合または分離しても本発明の論理構成による機能が実現できれば、本発明の範囲内であると解釈されねばならない。また、同一または類似の機能を果たす構成要素であれば、その名称の一致如何とは関係なく、本発明の範囲内であると解釈されねばならない。
【００３７】
以上のように、本発明を限定された実施形態と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００３８】
１０，２０  バッテリー予熱システム
１１  開放信号受信部
１２  温度測定部
１３  制御部
１４  強制放電回路部
１４ａ  強制放電スイッチ
１４ｂ  放電抵抗
１５  バッテリー状態測定部
１６  バランシング部
Ｍ  バッテリーモジュール
Ｐ  バッテリーパック
Ｓ  スタータ
【図１】
2016520475.tif 000003
【図２】
2016520475.tif 000004
【図３】
2016520475.tif 000005
【図４】
2016520475.tif 000006
【図５】
2016520475.tif 000007
【図６】
2016520475.tif 000008
【図７】
2016520475.tif 000009
【国際調査報告】
2016520475.tif 000010
2016520475.tif 000011
2016520475.tif 000012
2016520475.tif 000013